(57)【要約】【課題】着用感が良好で確実に排泄物を保持し、横漏れのない布製おむつを提供する。【解決手段】伸縮性を有し、通気性、吸湿性、速乾性を有する生地で作られウエスト部分から大腿部の途中までを覆う半ズボン形に形成され、各大腿部の前側に、裾からウエストに達する分割線２０で分割されている。分割線２０から前中心側を前身頃２４とし、分割線２０から後中心側を後身頃２２とする。後身頃２２には、分割線２０の側縁部に沿って取り付けられた第一面ファスナ３０、４６と、前身頃２２の分割線２０側縁部に取り付けられ第一面ファスナ３０，４６に係止される第二面ファスナ５４，６２とを備える。第一面ファスナ３０，４６または第二面ファスナ５４，６２のうち、フック状のエレメントを有する雄部材を、着脱可能に覆う覆い部材である第五面ファスナ４４，６０，６８が設けられている。【選択図】      図１
2004305613.tif 000002
【特許請求の範囲】
【請求項１】
防水性を有せず伸縮性を有した生地で形成されたおむつカバーと、上記おむつカバー内にセットされ防水性を有する生地で形成された防水収納袋とこの記防水収納袋に入れる吸水性のパッド本体を備えたおむつパッドとから成ることを特徴とする布製おむつ。
【請求項２】
上記おむつカバーは、ウエスト部分から大腿部の途中までを覆う半ズボン形に形成され、各大腿部の前側で、裾からウエストに達する分割線で分割され、この分割線の前中心側を前身頃とし、この前身頃より後側を後身頃とし、上記後身頃には、上記分割線側縁部に沿って取り付けられた第一の面ファスナと、上記前身頃の上記分割線側縁部に取り付けられ上記第一の面ファスナに係止される第二の面ファスナと、上記第一の面ファスナまたは上記第二の面ファスナのうちフック状のエレメントを有する雄部材を着脱可能に覆う覆い部材が設けられ、上記後身頃の上記分割線の側縁部に連続し上記前身頃の裏側面に重ねられ少なくとも腹部を覆う内側押さえ部と、上記内側押さえ部のウエスト部分から前中心側へ延出する帯状のベルト部と、上記ベルト部の一方の先端の表側面に取り付けられた第三の面ファスナと、上記ベルト部の他方の裏側面に取り付けられ上記第三の面ファスナに係止される第四の面ファスナが設けられ、少なくとも一方の上記内側押さえ部は上記第一の面ファスナと上記第三の面ファスナを形成する面ファスナ生地で一体に設けられ、上記覆い部材には、上記面ファスナの雄部材に隣接してこの雄部材に係止されるループ状のエレメントを有する面ファスナの雌部材が設けられ、上記雄部材と上記雌部材を互いに係止して上記雄部材が露出しないようにしたことを特徴とする請求項１記載の布製おむつ。
【請求項３】
上記覆い部材は上記おむつカバーに取り付けられた筒状の覆い布であり、上記面ファスナの雄部材は上記覆い布に挿通された伸縮性の帯部材に取り付けられ、上記帯部材に張力を加えると帯部材が上記覆い布から延出して上記雄部材が露出することを特徴とする請求項１記載の布製おむつ。
【請求項４】
上記防水収納袋は、上記パッド本体の裏面全体を覆う底部と、上記底部の周囲に連続し上記パッド本体の表面の縁部を覆うダム部と、上記ダム部の内側に形成され上記パッド本体が露出する開口部が設けられ、上記おむつパッドの着用者の、体表面に接する内面にのみ縫い糸やハリ穴が設けられ、上記着用者の体表面に接しない外面には縫い糸やハリ穴がなく、上記開口部の少なくとも一部には、上記開口部を内側に収縮するための弾性部材が設けられ、上記防水収納袋の上記ダム部は、上記おむつパッドの着用者の後側に位置する後部が、上記ダム部のその他の部分よりも幅広に形成されていることを特徴とする請求項１記載の布製おむつ。
【発明の詳細な説明】
【０００１】
【発明の属する技術分野】
この発明は、体が不自由な人が着用する布製おむつに関する。
【０００２】
【従来の技術】
【特許文献１】特開平１０−９９３６０号公報
【特許文献２】実用新案登録番号第３０３４０６５号公報
【特許文献３】特開平１１−１４６８９３号公報
病人や、体力がない高齢者等は、寝たきりで介護を受ける場合がある。この場合は、自力でトイレに行くことができず、おむつを着用している。おむつは、おむつカバーとおむつパッドを組み合わせたものや、おむつカバーと吸水部が一体化された使い捨てタイプ等が用いられている。近年は福祉施設などで、環境への配慮や廃棄処分に費やすコスト面から、使い捨てタイプよりも繰り返し利用可能なタイプが見直されている。これに伴い、漏れのない布製おむつが求められている。
【０００３】
従来のおむつカバーは、伸縮性がほとんど無い防水性の生地で作られ、腰から股を覆いながら通過し腹部に達する長方形の本体と、上記本体の腰部分の両脇に設けられ上記本体の長手方向に対してほぼ直角に側方へ延出する一対の押さえ片が設けられている。本体の長手方向に沿って平行な一対の側縁部には、横漏れ防止ギャザーが設けられている。一対の押さえ片の先端には、互いに着脱自在に係止される面ファスナが設けられ、本体の腹部側端部には、上記押さえ片に着脱自在に係止する面ファスナが設けられている。
【０００４】
このようなおむつカバーの使用方法は、まずおむつカバーを展開した状態で本体の内側に吸水性を有するおむつパッドを当てる。そして、着用者を左右に体位変換させながら、最終的に仰向けになっている腰の下に、おむつパッドとおむつカバーを敷く。この後、おむつパッドまたは従来からあるドビー織りおむつで陰部全体を覆い包むように折り曲げ、さらにおむつカバーも折り曲げて股を通過して腹部まで覆い、腰の両枠に位置する一対の押さえ片を腹部の両側から腹部前面に巻きまわし、腹部前面で面ファスナにより互いに係止する。
【０００５】
また、従来のおむつパッドは、少なくとも体表面に接しないおむつ外面は、防水性または撥水性を有する生地などで作られた防水部を有し、両足内側付け根付近には発水性や防水性のある生地が足の付け根の内側に向かって立設されて密着するダム部が形成されている。ダム部の内側には、吸水性を有する布地等で作られた吸水部が設けられている。防水部と、吸水部は縫製により一体化されている。
【０００６】
【発明が解決しようとする課題】
上記従来の技術の場合、おむつカバーは伸縮性がなく、お尻の周囲を包んでいるだけなので、足の根元に隙間ができやすく、隙間から尿等の排泄物が漏れることもある。また、排泄物が漏れないように、横漏れ防止ギャザーの縁取り部材をゴムなどで強化して、身体を締め付けるようにすると、その部分が痛くなったり、跡がついたり、血行障害による縟瘡の原因になる場合がある。さらに、横漏れ防止ギャザーは足の付け根を一周しないため、完全に隙間をなくすことはできないものであった。
【０００７】
これら尿漏れの問題は、衣類の着替え、シーツの交換も併せて発生することを意味する。この結果、取替えのための手間と、大量の洗濯物が出る。これは不経済であると同時に、何にもましておむつの装着者には不快であり、風邪の原因になる場合もあった。
【０００８】
この問題を解決するものとして、特許文献１に開示されているねたきり老人用おしめカバーがある。このねたきり老人用おしめカバーは、防水性を有し伸縮性を有しない生地で作られ、ウエスト部分から大腿部の途中までを覆う半ズボン形である。大腿部の前面に、裾からウエストを結ぶ線上に分割線が形成されている。分割線の両側縁部は、互いに重ねられ、面ファスナで着脱自在に係止されている。裾には、ゴム紐が一周して設けられ、排泄物がもれないように大腿部に密着している。
【０００９】
しかし、このねたきり老人用おしめカバーも、伸縮性がないため内側のおむつパッドを確実に保持することが出来ない恐れがあり、一度排尿され自重で重くなったおむつパッドの場合は、下がりやすく保持しにくい構造となっている。また、裾にゴム紐が設けられて大腿部を締め付けるため、大腿部が痛くなったり、跡がついたり、血行が悪くなるなどの影響がある。
【００１０】
また、従来のおむつパッドは、吸水部が尿等の水分を含んだ場合、水分が吸水部から、ミシン糸に浸透して防水部の外側に移動することがあった。さらに、寝返りなどの体位変換が起こると、体圧が加わり、おむつカバーの防水部のミシン穴から水分が漏れ出ることもあった。そして、着用者が仰向けに寝ている場合、重力の法則に従い、吸水性のある生地に含まれる水分が時間経過と共に背中側に集中する。従来の成形おむつではこの部位にダム構造がなく、吸水しきれなくなった尿が背中側から大量に漏れ出す問題があった。
【００１１】
また、最近の防水部と吸水部を一体構造にしたおむつパッドの場合も、防水部と吸水部とを一体にするためのミシン糸やミシン穴から水分が漏れ出たり、背中側にはダム構造がないので、大量に尿が漏れ出る問題があった。さらに、洗濯の脱水時には防水部が壁となり、水切れも悪く、水切れむらが起きやすい。しかも乾燥時には、防水部等が、吸水部表面からの蒸発を阻害し、乾燥時間が極めて長くなる。一般家庭で使用する場合は、乾燥の悪さから、予備の枚数を多く準備しなければならず不経済であった。また、おむつのレンタル事業者にとって、乾燥時間が長いと乾燥設備の増強が必要となる上、乾燥のための熱源となる化石燃料の使用量も多くなり、ランニングコストの上昇につながるため、提供価格がアップする問題も大きい。
【００１２】
一方、近年多く使用されている紙製おむつは、使い捨てで、その材料には高分子吸水ポリマー、防水用プラスチックフィルム、パルプ、ゴム等が使用されており、リサイクルし難い構造となっている。また、使用済みおむつは、収集時に周囲に飛び散る場合もあり、公衆衛生上問題がある上、焼却処分場では、病院や施設から大量に排出される使用済みおむつの水分により、焼却炉内の温度低下が起きやすく、ダイオキシンの発生原因になる。それを防止するために、化石燃料を付加しており、二酸化炭素の増加を招き、地球環境保護の観点からも影響が大きい。
【００１３】
また、排尿回数が少なく一回の排尿量が極めて多い着用者の対応として、従来から使用されている綿製のドビー織おむつの内面に紙製パッドをおき、吸水させる方法が取られている。この構造では、紙製パッドからオーバーフローした尿は、綿製のドビー織おむつに吸収される。しかし、綿製ドビー織おむつには防水布がなく、おむつカバーと体との隙間から尿漏れが起きる問題があった。さらに水状便の場合は、紙表面で、固形分が目詰まりを起こし、高分子吸水ポリマーが吸水できず、漏れ原因のひとつになっている。
【００１４】
この発明は上記従来の問題点に鑑みてなされたものであり、着用感が良好で確実に排泄物を保持し、横漏れのないおむつカバーとおむつパッドを提供することを目的とする。
【００１５】
【課題を解決するための手段】
この発明は、防水性を有せず伸縮性を有し、通気性、吸湿性、速乾性を有する生地で形成されたおむつカバーと、上記おむつカバー内にセットされ防水性を有する生地で形成された防水収納袋とこの記防水収納袋に入れる吸水性のパッド本体を備えたおむつパッドから成る布製おむつである。
【００１６】
この発明の布製おむつは、伸縮性を有する生地で作られウエスト部分から大腿部の途中までを覆う半ズボン形に形成され、各大腿部の前側で、裾からウエストに達する分割線により分割され、上記分割線から前中心側を前身頃とし、上記分割線から後中心側を後身頃とし、上記後身頃には、上記分割線側縁部に沿って取り付けられた第一の面ファスナと、上記前身頃の上記分割線側縁部に取り付けられ上記第一の面ファスナに係止される第二の面ファスナと、上記第一の面ファスナまたは上記第二の面ファスナのうちフック状のエレメントを有する雄部材を着脱可能に覆う覆い部材が設けられているおむつカバーを備える。
【００１７】
また、上記後身頃の上記分割線の側縁部に連続し上記前身頃の裏側面に重ねられ少なくとも腹部を覆う内側押さえ部と、上記内側押さえ部のウエスト部分から前中心側へ延出する帯状のベルト部と、上記ベルト部の一方の先端の表側面に取り付けられた第三の面ファスナと、上記ベルト部の他方の裏側面に取り付けられ上記第三の面ファスナに係止される第四の面ファスナが設けられている。
【００１８】
また、上記後身頃の上記分割線の両側縁部に各々上記内側押さえ部が形成され、少なくとも一方の上記内側押さえ部は上記第一の面ファスナと上記第三の面ファスナを形成する面ファスナ生地で一体に設けられている。
【００１９】
また、上記覆い部材は、上記面ファスナの雄部材に隣接してこの雄部材に係止されるループ状のエレメントを有する面ファスナの雌部材が設けられ、上記雄部材と上記雌部材を互いに係止して上雄部材が露出しないようにしている。
【００２０】
また、上記覆い部材は上記おむつカバーに取り付けられた筒状の覆い布であり、上記面ファスナの雄部材は上記覆い布に挿通された伸縮性の帯部材に取り付けられ、上記帯部材に引っ張る力を加えると帯部材が上記覆い布から延出して上記雄部材が露出する。
【００２１】
さらにこの発明の布製おむつは、撥水または防水生地で成形された防水収納袋と、上記防水収納袋に入れる吸水性のパッド本体が設けられているおむつパッドを備え、上記防水収納袋には、上記パッド本体の裏面全体を覆う底部と、上記底部の周囲に連続し上記パッド本体の表面の縁部を所定幅で覆うダム部と、上記ダム部の内側に形成され上記パッド本体が露出する開口部が設けられている。
【００２２】
また、上記防水収納袋は、上記おむつパッドの着用者の、体表面に接する内面にのみ縫い糸やハリ穴が設けられ、上記着用者の体表面に接しない外面には縫い糸やハリ穴がなく防水性を高めたものである。
【００２３】
また、上記開口部の少なくとも一部には、上記開口部を内側に収縮するための弾性部材が設けられている。
【００２４】
また、上記防水収納袋の上記ダム部は、上記おむつパッドの着用者の後側に位置する後部が、上記ダム部のその他の部分よりも幅広に形成されている。
【００２５】
この発明の布製おむつは、おむつカバーが伸縮性を有する生地で作られウエスト部分から大腿部の途中までを適度に緊締して内側のおむつパッドを身体に密着させ、排泄物を確実に保持する。おむつカバーは身体に確実に密着して横漏れを防ぎ、着用感も良好となる。そしておむつパッドは、発水性または防水性を有する生地で作られた防水収納袋が、尿等の漏れを確実に防止する。防水収納袋は後側のダム部が幅広に形成され、後側からの漏れを防ぐ。
【００２６】
【発明の実施の形態】
以下、この発明の実施形態について図面に基づいて説明する。図１〜図８はこの発明の一実施形態を示すもので、この実施形態のおむつ１０は、図１〜図４に示すおむつカバー１２を備えている。おむつカバー１２は伸縮性、通気性、吸汗性、速乾性を有する生地で作られ、適度な緊締力を有している。おむつカバー１２はウエストから大腿部の途中までを覆う半ズボン形であり、各大腿部の前面に裾１６からウエスト部１８にかけて連続した分割線２０により分割され、この分割線２０で展開される。そして、おむつカバー１２は、分割線２０で区切られた前中心側の前身頃２４と、背面側の腰から臀部さらに体側部を覆う後身頃２２を備え、分割線２０で分割された後身頃２２と前身頃２４とが、クロッチ部材２６により繋がれている。図２は、各部材を分解しその裏面を示したものである。
【００２７】
後身頃２２は左右対称形であり、裾１６には、後中心に股の形状にＵ字形に切り欠かれて後股下部２８が設けられている。後身頃２２の、左脇部２２ａには、前身頃２４の後述する第二面ファスナ５４に係止される第一面ファスナとしての内側押さえ部３０が、左脇部２２ａに沿って縫い付けられている。内側押さえ部３０は、面ファスナのループ部機能が設けられた雌部材の生地で作られ、面ファスナのループは生地の表側面に設けられている。そして、内側押さえ部３０の幅は、裾１６からウエスト部１８に近づくに従い、徐々に広く形成されている。内側押さえ部３０の側縁部３０ａには、後身頃２２のウエスト部１８の延長線に沿って側方に突出する帯状のベルト部３２が連続して設けられている。
【００２８】
ベルト部３２の先端付近には、図３に示すように、ベルト部３２の裏面側に、後述するベルト部４８に係止される雄部材の第四面ファスナ３４が、帯部材であるテープ３６を介して設けられている。テープ３６は、例えば織ゴムである。テープ３６は、長手方向の約半分がベルト部３２の端部から側方へ突出するように、ミシン糸３８で取り付けられている。第四面ファスナ３４は、テープ３６の、ベルト部３２から側方に突出した部分に取り付けられている。テープ３６は、ベルト部３２の先端の少し外側にテープ３６の長手方向に対して対して直角に折り目４０が設けられ、折り目４０で裏側に二つ折りにした状態で、折り目４０の近傍をミシン糸４２で縫い合わさせている。これによりテープ３６は折り目４０で二つ折りしやすい構造となる。テープ３６を折り目４０で二つ折りしたとき、第四面ファスナ３４に対面する位置に、第四面ファスナ３４の覆い部材である雌部材の第五面ファスナ４４が設けられている。そして、テープ３６の先端は、折り返して縫い合わされて、取手３７となる。取手３７は、テープ３６を折り目４０で折り返したり伸ばしたりして第四面ファスナ３４と第五面ファスナ４４の係合や係合解除を行うときに保持する。
【００２９】
なお、第四面ファスナ３４を覆う覆い部材は、テープ３６の反対側に設けられた第五面ファスナ４４以外に、図４に示すように筒状の覆い布７０でもよい。この場合、第四面ファスナ３４は、伸縮性を有する織ゴム７２の中央付近に取り付けられている。織ゴム７２の一端部は折り返されて取手７４となる。織ゴム７２の反対側の端部は、覆い布７０の内側をベルト部３２の先端側から内側に向かって挿通され覆い布７０から出た位置を織ゴムミシン止め位置７１としてベルト部３２に、縫い付けられている。そして、第四面ファスナ３４を使うときに、取手７４を外側に引くと織ゴム７２が延びて第四面ファスナ３４が覆い布７０から露出する。使用しないときは、織ゴム７２が元の長さに復元し、第四面ファスナ３４は覆い布７０の内側に入り、覆われる。
【００３０】
後身頃２２の、右脇部２２ｂには、左脇部２２ａと同様に前身頃２４の後述する第二面ファスナ６２に係止される第一面ファスナとしての内側押さえ部４６が、右脇部２２ｂに沿って縫い付けられている。内側押さえ部４６は、面ファスナのループ部機能が設けられた雌部材の生地で作られている。内側押さえ部４６の側縁部４６ａには、後身頃２２のウエスト部１８の延長線に沿って突出する帯状のベルト部４８が連続して設けられている。ベルト部４８は、内側押さえ部４６と同じ面ファスナのループ部機能が設けられた生地であり、左脇部２２ａの内側押さえ部３０に設けられた第四面ファスナ３４が着脱自在に係止される第三面ファスナとなる。
【００３１】
後身頃２２の後股下部２８には、クロッチ部材２６が縫い合わされている。クロッチ部材２６は細長い矩形に形成され、クロッチ部２６の一側縁部は後股下部２８に、他方の側縁部は前身頃２４の後述する前股下部５１に縫い合わされている。
【００３２】
前身頃２４は左右対称形であり、裾５０には、前中心に股の形状にＵ字形に切り欠かれて前股下部５１が設けられている。前身頃２４の、左脇部２４ａと右脇部２４ｂは、裾部５０からウエスト部５２にかけて、互いに離れる方向へ斜めに傾斜して形成されている。左脇部２４ａには、裾付近５０、ウエスト部付近５２、中間付近の３ヶ所に、第二面ファスナ５４が設けられている。各第二面ファスナ５４は、図３の第四面ファスナ３４と同様に、テープ５６を介して取り付けられ、テープの折り目５８の反対側に、第二面ファスナ５４の覆い部材である雌部材の第五面ファスナ６０が、各々設けられている。
【００３３】
前身頃２４の右脇部２４ｂには、左脇部と同様に裾付近５０、ウエスト部付近５２、中間付近の３ヶ所に、第二面ファスナ６２が設けられている。第二面ファスナ６２は、第二面ファスナ５４と同様に、テープ６４、折り目６６、第五面ファスナ６８が、各々設けられている。
【００３４】
次に、おむつカバー１２に入れて使用するおむつパッド７６について図５〜図８に基づいて説明する。まず、図５に示すように、おむつパッド７６は、撥水または防水の生地で作られた防水収納袋７８が設けられている。防水収納袋７８は、細長い矩形の底面８２と、底部８２の周縁部に連続し表側に折り返されるダム部８４が一周して設けられている。ダム部８４には、長手方向の一端部であり身体の前側に位置する前部８４ａと、前部８４ａに対して直角に位置する一対の側縁部８４ｂ，８４ｃと、前部８４ａの反対側の後部８４ｄが設けられている。前部８４ａの幅は、例えば５ｃｍ、側縁部８４ｂ，８４ｃは３．５ｃｍに形成されている。そして、後部８４ｄはより広い幅に、例えば１０ｃｍに形成されている。前部８４ａと、側縁部８４ｂ，８４ｃ、後部８４ｄは、縫製部８５で縫い合わされている。ダム部８４の中央には、開口部８６が設けられ、開口部８６の、ダム部８４の側縁部８４ｂ，８４ｃの縁には、弾性部材である織ゴム８８が取り付けられている。ダム部８４の前部８４ａ、後部８４ｄは、縫製部８７が設けられている。また、介助者が生地の表裏を間違えないよう、織ゴム８８を縫い付けるミシン糸の、表糸と裏糸の色を変えるなどの工夫がされても良いる。
【００３５】
防水収納袋７８の内側には、開口部８６から出し入れされるパッド本体８９が設けられている。パッド本体８９は、図６、図７に示すように、防水収納袋７８の内側にほぼ隙間なく入れられる大きさであり、防水収納袋７８の底部８２とほぼ同じ大きさの矩形に形成されている。
【００３６】
パッド本体８９は、身体側に位置する表面生地９０と、身体の反対側に位置するネット状生地９２と、表面生地９０とネット状生地９２の間に挟まれる吸水生地９４が、積層されて設けられている。表面生地９０は、例えば起毛素材のポリエステル生地を使用することで、濡れた感じがしにくい。吸水生地９４は、キュプラ２３％とポリエステル７７％をニードルパンチした不織布を複数枚積層したものである。キュプラを混紡させることで保水力を向上させる。ネット状生地９２は、ポリエステルのネット状であり、ネット状にすることで吸水生地９４の乾燥速度を上げる効果がある。積層された各生地の周縁部は、ジグザグミシン糸９６で縁取りされ連結されている。パッド本体８９の内側には、長手方向に沿って２本の直線ミシン糸９８が設けられ、ずれ等が防止されている。
【００３７】
次に、おむつ１０の使用方法について説明する。まずおむつカバー１２を、裏側を上にしてベッドなどおむつ１０を交換する場所の上に展開し、あらかじめ防水収納袋７８に入れられたパッド本体８９を当てる。ここでパッド本体８９の、防水収納袋７８への入れ方は、まずパッド本体８９の、表面生地９０を上方にしてパッド本体８９の一端部を防水収納袋７８の開口部８６から後部８４ｄに差し込み、次に他端部を防水収納袋７８の前部８４ａに差し込み、前部８４ａと後部８４ｄを長手方向に引き、側縁部８４ｂ，８４ｃをパッド本体８９に被せてセットを完了する。
【００３８】
そして、着用者が仰向けに横になっている腰の下に、おむつパッド７６とおむつカバー１２を敷く。そして着用者が仰向けに横になっている腰の下に、おむつパッド７６とおむつカバー１２を敷く。そして、おむつパット７６を折り曲げて股を通過して腹部まで覆う。次に、内側押さえ部４６を身体の右側前面に折り、ベルト部４８を腹部の中心まで巻きまわす。次に内側押さえ部３０を身体の左側前面に折り、ベルト部３２をベルト部４８に重ねながら腹部の中心まで巻きまわし、第四面ファスナ３４をベルト部４８に係止する。このとき、ベルト部３２，４８でおむつパット７６を腰に押さえつける。
【００３９】
次に、後身頃２２の後股下部２８から前身頃２４を前に引き出す。前身頃２４の第二面ファスナ５４を内側押さえ部３０に係止させ、第二面ファスナ６２を内側押さえ部４６に係止させる。
【００４０】
排泄物が出た後は、おむつカバー１２を逆の手順で外す。おむつパッド７６を交換して再びおむつカバー１２を着用させる。おむつカバー１２とおむつパッド７６は、洗濯をして何度も繰り返し使用する。おむつカバー１２を洗濯するときは、ベルト部３２の第四面ファスナ３４は、テープ３６の折り目４０に沿って折り返し、第五面ファスナ４４に係止する。また、第二面ファスナ５４も同様にと第五面ファスナ６０に各々係止させ、また第二面ファスナ６２も第五面ファスナ６８に各々係止させる。これにより、面ファスナの雄部材である第四面ファスナ３４、第二面ファスナ５４、第二面ファスナ６２のフック部分が、ほかの衣類等に絡まることを防ぐ。おむつパッド７６は、防水収納袋７８の開口部８６が織ゴムにより伸縮するため、洗濯している最中にパッド本体８９が防水収納袋７８から外れ、きれいに洗われるとおもに、脱水や乾燥が効率よく行われる。
【００４１】
また、図８のように防水収納袋７８には、パッド本体８９の下に、紙製吸水パッド１００を重ねて入れ、使用してもよい。
【００４２】
この実施形態のおむつ１０によれば、おむつカバー１２は伸縮性を有する生地で作られウエストから大腿部の途中までを覆って、適度に緊締するため、排泄物を吸収するためのおむつパット７６を確実に保持することができる。排泄物がおむつカバー１２の外側にもれることがなく、清潔で衛生的である。おむつカバー１２は全体に緊締力があり、局部的に締め付けることがなく、痛くなったり血行が悪くなる恐れがない。内側押さえ部３０，４６は、面ファスナのループが全面に設けられ、任意の位置に第二面ファスナ５４，６２を係止することができ、着用者の体形に適した位置に係止することができる。おむつカバー１２を洗濯するときは、面ファスナの雄部材である第四面ファスナ３４、第二面ファスナ５４、第二面ファスナ６２が、覆い部材である第五面ファスナ４４，６０，６８に係止され、フック部分ほかの衣類等に絡まることを防ぎ、ほかの部分の生地やほかの洗濯物に引っかかることがなく、痛みを防ぎ、使用期間を長く保つことができる。第四面ファスナ３４、第二面ファスナ５４，６２は、テープ３６，５６，６４を介して取り付けられているため、各面ファスナが痛んだときは、各テープを取り外し、簡単に交換することができる。
【００４３】
また、おむつパッド７６は防水収納袋７８で確実に漏れを防ぎ、より確実におむつ１０の外への漏れを防ぐことができる。防水収納袋７８は、全体がダム構造となり、また後部８４ｄが長く形成されているため、着用者が仰向けに寝ているときに後側からの漏れを確実に防ぐことができる。おむつパッド７６は防水収納袋７８の開口部８６で着用者の皮膚に接しているため、直接尿に触れる部分が少なく、尿による皮膚表面のたんぱく質分解によって起こる、縟瘡範囲を少なくすることができる。防水収納袋７８は、底部８２にミシン糸やミシン穴が生じず、ミシン糸からの浸透により尿漏れや、寝返りなどの体位交換による体圧から発生するミシン穴からの尿漏れを、防ぐことができる。防水収納袋７８とパッド本体８９が別体であり、洗濯機内で互いに分離するように設計してあるため、水切れが極めてよく、乾燥時には吸水生地９４表面からの水分蒸発も阻害されず乾燥速度が速い。一般家庭で使用するときも、おむつパッド７６の乾燥が容易であり、このため予備のおむつパッド７６を少なくすることができる。防水収納袋７８は、パッド本体８９の下に紙製吸水パッド１００を重ねて使用することができ、これにより一回の排尿量が極めて多い着用者にも、紙製吸水パッド１００の吸水量を付加して対応可能となる。水状便の場合も、パッド本体８９表面で、固形分をキャッチできるため、紙製吸水パッド１００の高分子吸水ポリマーが効率よく吸水でき、漏れの発生を防ぐことができる。
【００４４】
なお、この発明のおむつは、上記実施の形態に限定されることがなく、各部材の形状や面ファスナの位置、数、大きさ等、自由に変更可能である。各部材の係止手段は、面ファスナ以外に簡単で強い強度で係止するものであればよい。使用するおむつパットは、使い捨てタイプのみを使用してもよい。
【００４５】
【発明の効果】
この発明の布製おむつによれば、確実に排泄物をおむつ内に保持し、外側にもれることを防ぎ、衛生的で介護が容易なものとなる。しかも、着用感が良好であり、動きやすく、見た目も良好なものである。
【００４６】
また、おむつパッドはおむつカバーの伸縮力により体表面とおむつパッドの間に空間が空かず、防水収納袋内で確実に漏れを防ぎ、おむつパッドの外への漏れを防ぐ。特に、防水収納袋は、全体がダム構造となり、着用者が仰向けに寝ているときにも漏れを確実に防ぐことができる。また、おむつパッドの防水収納袋は、ミシン糸やミシン穴が外側になく、ミシン糸からの浸透により尿漏れや、寝返りなどの体位交換による圧力から発生するミシン穴からの尿漏れを防ぐ。
【図面の簡単な説明】
【図１】この発明の一実施形態の布製おむつの正面図である。
【図２】この実施形態の布製おむつのおむつカバーの分解図である。
【図３】この実施形態のおむつカバーの第四面ファスナの斜視図である。
【図４】この実施形態のおむつカバーの第四面ファスナの変形例を示す斜視図である。
【図５】この実施形態の布製おむつのおむつパッドの斜視図である。
【図６】この実施形態の布製おむつのパッド本体の斜視図である。
【図７】図６のＡ−Ａ線断面図である。
【図８】この実施形態のおむつパッドの紙製吸水パッドを併用した状態を示す斜視図である。
【符号の説明】
１０  おむつ
１２  おむつカバー
１６  裾
１８  ウエスト部
２０  分割線
２２  後身頃
２４  前身頃
２６  クロッチ部材
２８  後股下部
３０，４６  内側押さえ部（第一面ファスナ）
３２，４８  ベルト部
３４  第四面ファスナ
３６  テープ
３８，４２  ミシン糸
４０  折り目
４４，６０，６８  第五面ファスナ（覆い部材）
５０  裾
５１  前股下部
５２  ウエスト部
５４，６２  第二面ファスナ
５６，６４  テープ
５８，６６  折り目
７０  覆い布
７２  織ゴム
７４  取手
７６  おむつパッド
７８  防水収納袋
８２  底面
８４  ダム部
８６  開口部
８８  織ゴム
８９  パッド本体
９０  表面生地
９２  ネット状生地
９４  吸水生地
９６  ジグザグミシン糸
９８  直線ミシン糸
１００  紙製吸水パッド
【図１】
2004305613.tif 000003
【図２】
2004305613.tif 000004
【図３】
2004305613.tif 000005
【図４】
2004305613.tif 000006
【図５】
2004305613.tif 000007
【図６】
2004305613.tif 000008
【図７】
2004305613.tif 000009
【図８】
2004305613.tif 000010